(57)【特許請求の範囲】
【請求項１】
搬送される長尺の記録媒体を巻取りドラムに巻き付けて一時収容し、収容した記録媒体を繰り出す長尺記録媒体の一時収容装置であって、
前記巻取りドラムと対向して一体回転するように配置され、前記巻取りドラムとの間で前記記録媒体の先端を挟持する圧着部を、圧着状態と非圧着状態の何れかに切り替える姿勢切替機構と、前記巻取りドラムの巻取り方向への回転時に前記姿勢切替機構による前記圧着状態への姿勢切替を許容し、前記巻取りドラムの繰出し方向への回転時であって前記記録媒体の巻付け長さが所定長さ以下となったときに、前記姿勢切替機構による前記圧着状態から前記非圧着状態への姿勢切替を許容する姿勢切替制御機構を備えて構成される長尺記録媒体の一時収容装置。
【請求項２】
前記姿勢切替機構が、前記圧着部を前記巻取りドラムに付勢する付勢機構と、前記巻取りドラムの巻取り方向への回転に伴ない前記圧着部を前記付勢機構により前記圧着状態に導き、前記巻取りドラムの繰出し方向への回転に伴ない前記圧着部を前記付勢機構に抗して前記非圧着状態に導くカム機構で構成され、前記カム機構が、前記圧着部を前記巻取りドラムの径方向に移動自在に支持する支持部と、前記支持部の端部が接当し前記巻取りドラムの回転に伴なって前記圧着部を前記径方向に移動させるカム面を備え、前記巻取りドラムを支持する固定軸心に設けられたカム板で構成されている請求項１記載の長尺記録媒体の一時収容装置。
【請求項３】
前記姿勢切替制御機構が、前記カム板の側面に形成されたカム溝と、一端が前記巻取りドラムと一体回転し他端が前記カム溝に係入するように前記カム板側への付勢部材を介して取り付けられた連結ピンと、前記カム板を前記固定軸心に対して回転可能に支持するトルクリミッタとを備えて構成され、前記カム溝が、前記巻取りドラムの巻取り方向への回転時に前記連結ピンが摺動して前記圧着状態への姿勢切替を許容する第一カム溝と、前記第一カム溝より深く形成され、前記圧着状態への姿勢切替に伴ない係入して前記巻取りドラムの巻取り方向への回転時に前記連結ピンと係合して前記カム板を前記巻取りドラムと一体回転させる一方、前記巻取りドラムの繰出し方向への回転時に前記連結ピンと係合して前記カム板を前記巻取りドラムと一体回転させる第二カム溝と、前記巻取りドラムの巻取り方向への回転に伴ない前記第二カム溝より深く形成された始端に係入し、終端が前記第一カム溝に連なるように次第に浅く形成され、前記巻取りドラムの繰出し方向への回転時に前記連結ピンが摺動して前記非圧着状態への姿勢切替を許容する第三カム溝で構成されている請求項２記載の長尺記録媒体の一時収容装置。
【発明の詳細な説明】
【技術分野】
【０００１】
本発明は、搬送される長尺の記録媒体を巻取りドラムに巻き付けて一時収容し、収容した記録媒体を繰り出す長尺記録媒体の一時収容装置に関する。
【背景技術】
【０００２】
従来、特許文献１に記載されているように、写真処理装置の露光部と現像処理部との間に、長尺記録媒体としての感光材料を一時的に滞留させる長尺記録媒体の一時収容装置としてループ部が設けられたものが提案されている。
【０００３】
前記ループ部は、露光部と現像処理部の感光材料に対する搬送速度差を吸収するとともに、露光中の感光材料に振動や負荷変動による画像乱れの発生を回避するためのもので、露光部から感光材料を搬送する第一搬送系と、現像処理部に感光材料を搬送する第二搬送系との間に設けられ、ループ量が所定範囲に収まるように各搬送系が制御され、露光部による全コマの露光処理が終了して第一搬送系が停止している際に、前記ループ部より露光部側に設けられたカッターにより感光材料が切断されるように構成されている。
【０００４】
【特許文献１】特開２０００−１５５４０２号公報
【発明の開示】
【発明が解決しようとする課題】
【０００５】
しかし、上述の長尺記録媒体の一時収容装置によれば、ループ形成のための大きな空間を確保するために写真処理装置が大型になるという問題があり、ループ部の底部に溜まる紙粉や埃を除去するという煩雑なクリーニング作業をしなければ、切断後に垂れ下がる感光材料の後端部が底部に接触して、紙粉等が付着することにより感光材料に傷が発生したり現像不良が発生する虞が増大するのみならず、現像液の劣化が進むという問題があった。
【０００６】
そこで、ループ部が必要とされる大きな空間を不要とするべく、搬送される長尺の記録媒体を巻取りドラムに巻き付けて一時収容し、収容した記録媒体を繰り出す長尺記録媒体の一時収容装置を構成することが考えられるが、巻き付けた記録媒体を繰り出す際に記録媒体の後端が垂れ下がると、上述と同様の問題が生じる虞がある。
【０００７】
本発明の目的は、上述した従来の問題点に鑑み、装置の小型化を図りながらも、紙粉や埃等により記録媒体が損なわれることのない長尺記録媒体の一時収容装置を提供する点にある。
【課題を解決するための手段】
【０００８】
上述の目的を達成するため、本発明による長尺記録媒体の一時収容装置の第一の特徴構成は、特許請求の範囲の書類の請求項１に記載した通り、搬送される長尺の記録媒体を巻取りドラムに巻き付けて一時収容し、収容した記録媒体を繰り出す長尺記録媒体の一時収容装置であって、前記巻取りドラムと対向して一体回転するように配置され、前記巻取りドラムとの間で前記記録媒体の先端を挟持する圧着部を、圧着状態と非圧着状態の何れかに切り替える姿勢切替機構と、前記巻取りドラムの巻取り方向への回転時に前記姿勢切替機構による前記圧着状態への姿勢切替を許容し、前記巻取りドラムの繰出し方向への回転時であって前記記録媒体の巻付け長さが所定長さ以下となったときに、前記姿勢切替機構による前記圧着状態から前記非圧着状態への姿勢切替を許容する姿勢切替制御機構を備えて構成される点にある。
【０００９】
記録媒体が巻取りドラムに巻き取られる際に、巻取りドラムと一体回転する圧着部が姿勢切替機構により圧着状態に姿勢切替されることにより、記録媒体の先端が巻取りドラムと圧着部との間で挟持され、その状態で巻き取られる。その後巻取りドラムが繰出し方向に回転して記録媒体が繰出されるときには、姿勢切替制御機構により圧着状態が維持されたままで繰出され、記録媒体の巻付け長さが所定長さ以下となったときに前記姿勢切替機構により非圧着状態へ姿勢切替される。従って、前記所定長さを装置内に溜まった紙粉などと接触しない長さに設定することにより、記録媒体が紙粉等により損なわれない状態で後段に向けて送り出すことができるのであり、上述の構成によれば大きなループ形成空間を確保する必要が無く装置の小型化をも実現することができるのである。
【００１０】
同第二の特徴構成は、同請求項２に記載した通り、上述の第一特徴構成に加えて、前記姿勢切替機構が、前記圧着部を前記巻取りドラムに付勢する付勢機構と、前記巻取りドラムの巻取り方向への回転に伴ない前記圧着部を前記付勢機構により前記圧着状態に導き、前記巻取りドラムの繰出し方向への回転に伴ない前記圧着部を前記付勢機構に抗して前記非圧着状態に導くカム機構で構成され、前記カム機構が、前記圧着部を前記巻取りドラムの径方向に移動自在に支持する支持部と、前記支持部の端部が接当し前記巻取りドラムの回転に伴なって前記圧着部を前記径方向に移動させるカム面を備え、前記巻取りドラムを支持する固定軸心に設けられたカム板で構成されている点にある。
【００１１】
上述の構成によれば、圧着部が付勢機構により巻取りドラムの径方向に付勢されているため、その支持部の端部がカム面に摺動するに連れて巻取りドラムに近接して圧着状態に到り、或いは離隔して非圧着状態に到るものであり、例えば巻取りドラムの周速を記録媒体の搬送速度に近い速度で巻取り方向に回転させることにより無理なく記録媒体を挟持することができ、巻取りドラムを繰出し方向に回転させることにより圧着状態を解除することができるようになるのである。
【００１２】
同第三の特徴構成は、同請求項３に記載した通り、上述の第二特徴構成に加えて、前記姿勢切替制御機構が、前記カム板の側面に形成されたカム溝と、一端が前記巻取りドラムと一体回転し他端が前記カム溝に係入するように前記カム板側への付勢部材を介して取り付けられた連結ピンと、前記カム板を前記固定軸心に対して回転可能に支持するトルクリミッタとを備えて構成され、前記カム溝が、前記巻取りドラムの巻取り方向への回転時に前記連結ピンが摺動して前記圧着状態への姿勢切替を許容する第一カム溝と、前記第一カム溝より深く形成され、前記圧着状態への姿勢切替に伴ない係入して前記巻取りドラムの巻取り方向への回転時に前記連結ピンと係合して前記カム板を前記巻取りドラムと一体回転させる一方、前記巻取りドラムの繰出し方向への回転時に前記連結ピンと係合して前記カム板を前記巻取りドラムと一体回転させる第二カム溝と、前記巻取りドラムの巻取り方向への回転に伴ない前記第二カム溝より深く形成された始端に係入し、終端が前記第一カム溝に連なるように次第に浅く形成され、前記巻取りドラムの繰出し方向への回転時に前記連結ピンが摺動して前記非圧着状態への姿勢切替を許容する第三カム溝で構成されている点にある。
【００１３】
巻取りドラムが記録媒体の巻取り方向に回転すると連結ピンが第一カム溝に沿って摺動する。このときカム板に掛かるトルクは小さいため固定軸心に固定された状態が維持され、カム板のカム面に沿って支持部の端部が摺動することにより圧着部が圧着状態へと姿勢切替される。その後、第二カム溝に係入する連結ピンが第二カム溝の縁部と係合して、巻取り方向に回転する巻取りドラムのトルクが連結ピンを介してカム板に付与され、トルクリミッタの作用でカム板が巻取りドラムと一体回転することで圧着状態が維持されながら記録媒体が巻き取られる。
【００１４】
巻き取られた記録媒体が巻取りドラムから繰出されるときには、第一カム溝と第二カム溝に段差が形成されているため連結ピンが第一カム溝に戻ることなく第二カム溝の対向する縁部と係合して、繰出し方向に回転する巻取りドラムのトルクが連結ピンを介してカム板に付与され、トルクリミッタの作用でカム板が巻取りドラムと一体回転することで圧着状態が維持されながら記録媒体が繰り出される。
【００１５】
記録媒体の巻付け長さが所定長さ以下となったときに巻取りドラムを巻取り方向に回転させると連結ピンが第三カム溝に係入する。その後、巻取りドラムを繰出し方向に回転させると第二カム溝と第三カム溝に段差が形成されているため連結ピンが第二カム溝に戻ることなく第三カム溝に沿って摺動する。このときカム板に掛かるトルクは小さいため固定軸心に固定された状態が維持され、カム板のカム面に沿って支持部の端部が摺動することにより圧着部が非圧着状態へと姿勢切替され、連結ピンは第三カム溝から第一カム溝に復帰するのである。
【発明の効果】
【００１６】
以上説明した通り、本発明によれば、装置の小型化を図りながらも、紙粉や埃等により記録媒体が損なわれることのない長尺記録媒体の一時収容装置を提供することができるようになった。
【発明を実施するための最良の形態】
【００１７】
以下に本発明による長尺記録媒体の一時収容装置を備えた写真処理装置について説明する。
【００１８】
写真処理装置は、図２に示すように、ロール状に巻回された長尺の記録媒体としての印画紙Ｐが収容された二系統の印画紙マガジン１０と、印画紙マガジン１０から繰出される印画紙Ｐを所定のプリントサイズに切断するシートカッター２０と、印画紙Ｐを露光する露光ヘッドが配置された露光部３０と、印画紙Ｐの先端と後端を検知する印画紙端検知センサ７６と、露光中の感光材料に振動や負荷変動による画像乱れの発生を回避するためのループ部４０と、露光後の印画紙Ｐを現像処理する現像部５０と、前記現像部５０へ印画紙Ｐを搬送する現像前搬送部９０が、印画紙Ｐの搬送経路に沿って配置され、さらに、前記露光部３０と現像部５０の間に本発明による一時収容装置６０が設けられている。
【００１９】
前記露光部３０は、前記搬送経路に沿って副走査方向に搬送される印画紙Ｐに対して、搬送方向に直交する主走査方向にプリントデータに基づき変調されたＲＧＢ三色のレーザー光線束を出力して露光する露光ヘッド３１が収容されている。
【００２０】
前記現像部５０は、露光後の印画紙を現像、漂白、定着するための現像処理液、漂白定着処理液、安定化処理液等を貯留する複数の槽からなる処理槽５１を備えて構成されており、前記処理槽５１は、内部を隔壁５２によって複数に仕切られている。
【００２１】
印画紙マガジン１０に収容された印画紙Ｐは、図示しないピックアップローラによって引き出され、図２に一点鎖線で示す印画紙Ｐの搬送経路に沿って配置された複数対の搬送ローラによって搬送される。印画紙Ｐは前記シートカッター２０によって所定のプリントサイズに切断されてから前記露光部３０に搬送され、前記露光部３０にて露光された印画紙Ｐは前記一時収容装置６０へと搬送される。
【００２２】
前記一時収容装置６０は、図１に示すように、印画紙を受け入れる一対の受入ローラ６１と、搬送される印画紙Ｐを巻き付けて一時収容し、収容した印画紙Ｐを前記現像前搬送部９０に繰り出す巻取りドラム６２と、前記受入ローラの位置切替を行う受入ローラ位置切替機構（図示せず）と、前記巻取りドラム６２の位置切替を行う位置切替機構７０とを備えて構成されている。
【００２３】
詳述すると、前記巻取りドラム６２と対向して一体回転するように配置され、前記巻取りドラム６２との間で印画紙Ｐの先端を挟持する圧着部６３としての遊転ローラを、圧着状態と非圧着状態の何れかに切り替える姿勢切替機構６４と、前記巻取りドラム６２の巻取り方向への回転時に前記姿勢切替機構６４による前記圧着状態への姿勢切替を許容し、前記巻取りドラムの繰出し方向への回転時であって印画紙Ｐの巻付け長さが所定長さ以下となったときに、前記姿勢切替機構６４による前記圧着状態から前記非圧着状態への姿勢切替を許容する姿勢切替制御機構６５（図１には図示せず。後述する）を備えて構成される。
【００２４】
前記姿勢切替機構６４は、前記圧着部６３を前記巻取りドラム６２に付勢する付勢機構６６と、前記巻取りドラム６２の巻取り方向への回転に伴ない前記圧着部６３を前記付勢機構６６により前記圧着状態に導き、前記巻取りドラム６２の繰出し方向への回転に伴ない前記圧着部６３を前記付勢機構６６に抗して前記非圧着状態に導くカム機構６７で構成される。
【００２５】
前記カム機構６７は、前記圧着部６３を前記巻取りドラム６２の径方向に移動自在に支持する支持部６７ａと、前記支持部６７ａの端部が接当し前記巻取りドラムの回転に伴なって前記圧着部６３を前記径方向に移動させるカム面６７ｂを備え、前記巻取りドラム６２を支持する固定軸心６８に設けられたカム板６７ｃで構成されている。
【００２６】
詳述すると、前記カム機構６７は、図３に示すようなカム機構被覆部８０で覆われており、前記カム機構被覆部８０は、図４に示すように、前記巻取りドラム６２の両端位置において一体固定され、かつ前記固定軸心６８によって支持されている。
【００２７】
前記カム機構被覆部８０は、図３に示すように、円柱の側面部に相当する箇所に貫通穴８０１が開けられており、図４および図５に示すように、前記支持部６７ａが前記貫通穴８０１を通じて前記カム面６７ｂと接当することで、上述したような前記圧着部６３の圧着状態と非圧着状態の切替が可能となる。
【００２８】
圧着状態と非圧着状態の切替を具体的に説明する。図６に示すように、図６（ａ）においては前記巻取りドラム６２の表面部と前記圧着部６３の表面部との隙間がＡ、つまり非圧着状態である。ここで、図６（ａ）に一点鎖線矢印で示すように、前記巻取りドラム６２が巻取り方向へ回転すると、前記圧着部６３と前記支持部６７ａが前記巻取りドラム６２と一体回転する。このとき、カム板６７ｃに掛かるトルクは小さいため、前記カム板６７ｃは固定軸心６８に固定された状態が維持され、前記カム板６７ｃのカム面６７ｂに沿って支持部６７ａの端部が摺動する。その結果、図６（ｂ）に示す状態となる。図６（ｂ）においては、前記巻取りドラム６２の表面部と前記圧着部６３の表面部との隙間がない、つまり圧着状態である。これは前記カム板６７ｃにおける前記カム面６７ｂとカムの外周６７ｄの差が最浅部ではＢであるのに対して、最深部ではＣとなるような形状であることから、前記支持部６７ａが図６（ａ）に示した位置から図６（ｂ）に示した位置に移動するに際して、前記圧着部６３は最深部と最浅部の差分Ｄ（＝Ｃ−Ｂ）だけ前記巻取りドラム６２の表面部に近づくのである。即ち、前記差分Ｄを、上述の隙間Ａと等しくすることによって、前記圧着部６３の圧着状態と非圧着状態の切替が可能となるのである。
【００２９】
尚、上述では、カム機構被覆部８０を設けて、前記カム機構被覆部８０に貫通穴８０１を開ける実施形態について説明したが、前記カム機構被覆部８０を巻取りドラム６２と一体化させて、前記巻取りドラム６２に貫通穴を開ける形態であってもよい。
【００３０】
前記姿勢切替制御機構６５は、図５および図７に示すように、前記カム板６７ｃの円柱底面（上面）部分に形成されたカム溝６５１（図７における斜線部）と、一端が前記巻取りドラム６２および前記カム機構被覆部８０と一体回転し他端が前記カム溝６５１に係入するように付勢部材６５４を介して取り付けられた連結ピン６５２と、前記カム板６７ｃを前記固定軸心６８に対して回転可能に支持するトルクリミッタ６５３とを備えて構成される。
【００３１】
前記カム溝６５１は、図８に示すように、前記巻取りドラム６２の巻取り方向への回転時に前記連結ピン６５２が摺動して前記圧着状態への姿勢切替を許容する第一カム溝６５１ａと、前記第一カム溝６５１ａより深く形成され、前記圧着状態への姿勢切替に伴い係入して前記巻取りドラム６２の巻取り方向への回転時に前記連結ピン６５２と係合して前記カム板６７ｃを前記巻取りドラム６２と一体回転させる一方、前記巻取りドラム６２の繰出し方向への回転時に前記連結ピン６５２と係合して前記カム板６７ｃを前記巻取りドラム６２と一体回転させる第二カム溝６５１ｂと、前記巻取りドラム６２の巻取り方向への回転に伴ない前記第二カム溝６５１ｂより深く形成された始端に係入し、終端が前記第一カム溝６５１ａに連なるように次第に浅く形成され、前記巻取りドラムの繰出し方向への回転時に前記連結ピン６５２が摺動して前記非圧着状態への姿勢切替を許容する第三カム溝６５１ｃで構成されている。
【００３２】
また、前記第一カム溝６５１ａから第三カム溝６５１ｃの境界は段差を構成している。即ち、図９に示すように、斜線で示された各カム溝６５１のうち、前記第一カム溝６５１ａは段差ａｂにおいて前記第二カム溝６５１ｂより高く構成されており、前記第二カム溝６５１ｂは段差ｂｃにおいて前記第三カム溝６５１ｃより高く構成されており、次第に浅く形成された前記第三カム溝６５１ｃは段差ｃａにおいて前記第一カム溝より高く構成されている。さらに、前記第二カム溝は段差ｂｂによって２領域に分割されており、前記第一カム溝６５１ａ側の領域が前記第三カム溝６５１ｃ側の領域より高く構成されている。つまり、前記連結ピン６５２の摺動順序は、前記第一カム溝６５１ａ、第二カム溝６５１ｂ、第三カム溝６５１ｃ、そして再び第一カム溝６５１ａに戻る順序であって、逆の順序に摺動することはない構成となっている。
【００３３】
上述の具体的動作を図１０〜図１６によって詳述する。まず、図１０に示すように、印画紙Ｐが挿入されると、巻取りドラム６２が印画紙Ｐの巻取り方向に回転して、前記巻取りドラム６２と一体回転する連結ピン６５２が第一カム溝６５１ａに沿って摺動する。このときカム板６７ｃに掛かるトルクは小さいため、前記カム板６７ｃは固定軸心６８に固定された状態が維持され、前記カム板６７ｃのカム面６７ｂに沿って支持部６７ａの端部が摺動することにより圧着部６３が圧着状態へと姿勢切替される（図１１）。
【００３４】
このとき、図９と図１２に示すように、前記連結ピン６５２が段差ａｂを通過した後に第二カム溝６５１ｂの縁部と係合して、巻取り方向に回転する前記巻取りドラム６２のトルクが前記連結ピン６５２を介してカム板６７ｃに付与され、トルクリミッタ６５３の作用で前記カム板６７ｃが前記巻取りドラム６２、圧着部６３と共に一体回転することで圧着状態が維持されながら印画紙Ｐが巻き取られる。尚、印画紙Ｐが巻き取られる際の２周目以降は、巻取りドラム６２と前記圧着部６３は圧着状態であって両者間に隙間がないことから、図１２に示すように、印画紙Ｐは前記圧着部６３の外周側に巻き取られる。
【００３５】
次に、巻き取られた印画紙Ｐが巻取りドラム６２から繰出される（巻取りドラム６２が巻取り方向と逆に回転する）ときには、図９と図１３に示すように、前記第一カム溝６５１ａと前記第二カム溝６５１ｂに段差ａｂが形成されているため前記連結ピン６５２が前記第一カム溝６５１ａに戻ることなく、逆に段差ｂｂを経由して前記第二カム溝６５１ｂの対向する縁部と係合する。
【００３６】
そして、前記連結ピン６５２が前記第二カム溝６５１ｂの対向する縁部と係合した後は、図１４に示すように、繰出し方向に回転する前記巻取りドラム６２のトルクが前記連結ピン６５２を介してカム板６７ｃに付与され、トルクリミッタ６５３の作用で前記カム板６７ｃが前記巻取りドラム６２、圧着部６３と共に一体回転することで圧着状態が維持されながら印画紙Ｐが繰り出される。
【００３７】
印画紙Ｐの巻付け長さが所定長さ以下となったときには、図９と図１５に示すように、前記巻取りドラム６２を一旦、巻取り方向に逆回転させる。すると、前記連結ピン６５２が段差ｂｃを経由して第三カム溝６５１ｃに係入する。尚、前記連結ピン６５２は段差ｂｂに阻まれるため、前記第二カム溝６５１ｂのうち前記第一カム溝６５１ａに接する側の領域へ戻ることはない。
【００３８】
その後、再び、前記巻取りドラム６２を繰出し方向に回転させると、図１６に示すように、前記第二カム溝６５１ｂと前記第三カム溝６５１ｃに段差ｂｃが形成されているため前記連結ピン６５２が前記第二カム溝６５１ｂに戻ることなく前記第三カム溝６５１ｃに沿って摺動する。このとき、前記カム板６７ｃに掛かるトルクは小さいため、前記カム板６７ｃは固定軸心６８に固定された状態が維持され、前記カム板６７ｃのカム面６７ｂに沿って支持部６７ａの端部が摺動することにより圧着部６３が非圧着状態へと姿勢切替される。そして、前記連結ピン６５２は前記第三カム溝６５１ｃから前記第一カム溝６５１ａに復帰するのである。
【００３９】
前記一時収容装置６０は、図１に示す前記巻取りドラム６２の通常位置としての第一位置７０ａと、図１７に示す前記巻取りドラム６２の退避位置としての第二位置７０ｂに位置切替する位置切替機構７０を備えており、前記第一位置７０ａで印画紙Ｐの巻取りを開始し、前記第二位置７０ｂで巻き取った印画紙Ｐの繰出しを開始する。
【００４０】
また、前記受入ローラ６１も、図１７に示すように、印画紙Ｐを露光部３０から前記巻取りドラム６２へ送る受入位置６１ａと、印画紙Ｐを前記巻取りドラム６２から現像前搬送部９０へ送る送出位置６１ｂに位置切替する受入ローラ位置切替機構（図示せず）を備えている。
【００４１】
詳述すると、前記位置切替機構７０は、前記巻取りドラム６２の両端に一体に取り付けられているドラム位置切替駆動部７１と、前記ドラム位置切替駆動部７１の駆動に連動するように設けられているコンベアベルト７２と、前記コンベアベルト７２の動作の終端として前記一時収容装置６０の上部と下部に設けられている歯車７３と、前記巻取りドラム６２と前記ドラム位置切替駆動部７１を移動させるために前記ドラム位置駆動部７１に取り付けられているスライダー７４とを備えて構成されている。動作としては、例えば、図１にように前記巻取りドラム６２が前記一時収容装置６０の通常位置に位置しているときに、前記ドラム位置切替駆動部７１が駆動すると、前記コンベアベルト７２が前記歯車７３を両端軸として上下に動作することで、前記巻取りドラム６２と前記ドラム位置切替駆動部７１が前記スライダー７４に沿って移動する結果、図１７に示すように、前記巻取りドラム６２と前記ドラム位置切替駆動部７１は前記一時収容装置６０の退避位置に移動するのである。
【００４２】
以下、一時収容装置６０が、露光部３０で露光された印画紙Ｐを収容してから、収容した印画紙Ｐを現像前搬送部９０に繰出すまでの動作を説明する。
【００４３】
写真処理装置の印画紙Ｐの搬送経路上には、図２に示すように、印画紙端検知センサ７６が設けられており、前記印画紙端検知センサ７６によって印画紙Ｐの先端が検知されると、前記写真処理装置は印画紙Ｐの先端を認識する。すると、図１に示すように、露光された印画紙Ｐが受入ローラ６１を介して一時収容装置６０内へ挿入されたときに、前記写真処理装置は圧着部６３を巻取りドラム６２に圧着させて印画紙Ｐを固定させるために、支持部６７ａをカム面６７ｂ上において摺動させる。尚、前記印画紙端検知センサ７６の位置は印画紙Ｐの搬送経路であって前記一時収容装置６０より前であれば、図２に示した位置に限定されない。
【００４４】
図１８に示すように、印画紙Ｐが前記巻取りドラム６２と前記圧着部６３の間に固定されると、図１９に示すように、前記巻取りドラム６２は前記一時収容装置６０の通常位置から退避位置への移動を開始する。
【００４５】
図２０に示すように、前記巻取りドラム６２が前記一時収容装置６０の退避位置へ到達すると、前記巻取りドラム６２の動作は止まるが、印画紙Ｐは前記受入ローラ６１を介してさらに送り込まれてくるので、印画紙Ｐの弛みが大きくなってくる。
【００４６】
前記一時収容装置６０には、図２１に示すように、投光部と受光部より構成されている印画紙弛み検知センサ７５が設けられており、印画紙Ｐによって前記印画紙弛み検知センサ７５の光経路が遮断されて投光部の光が受光部へ届かなくなると、前記写真処理装置は前記巻取りドラム６２の巻取り動作を開始させる。
【００４７】
図２２に示すように、前記巻取りドラム６２の巻取り動作によって印画紙Ｐが巻き取られることで、前記印画紙弛み検知センサ７５の投光部から受光部への光が届くようになると、前記写真処理装置は前記巻取りドラム６２の巻取り動作を停止させる。
【００４８】
前記巻取りドラム６２の巻取り動作中は、上述の前記印画紙弛み検知センサ７５の検知によって前記巻取りドラム６２の巻取り駆動を行い、非検知によって前記巻取りドラム６２の巻取りを停止するという処理を継続する。
【００４９】
前記印画紙端検知センサ７６によって、印画紙Ｐの後端が検知されると、前記写真処理装置は印画紙Ｐの後端が前記受入ローラ６１を通過する直前で前記巻取りドラム６２の巻取り動作を停止させる。巻取り動作が停止すると、図１７に示すように、前記受入ローラ６１は受入位置６１ａから送出位置６１ｂに位置切替を行う。
【００５０】
その後、前記巻取りドラム６２は繰出し動作を開始して、繰出された印画紙Ｐは、図２３に示すように、前記受入ローラ６１を介して前記現像前搬送部９０へ送出される。
【００５１】
印画紙Ｐの先端まで繰出すための動作として、前記巻取りドラム６２は、巻き取られた印画紙Ｐを全て繰出された後に、前記一時収容装置６０の退避位置から通常位置への移動、つまり図１９と逆の動作を開始する。
【００５２】
前記巻取りドラム６２が前記一時収容装置６０の通常位置へ到達すると、前記写真処理装置は、前記圧着部６３の巻取りドラム６２への圧着を解除させて印画紙Ｐの固定を解除するために、前記支持部６７ａを前記カム面６７ｂ上において摺動させる。圧着が解除されて印画紙Ｐが全て前記現像前搬送部９０へ送出されると、前記受入ローラ６１は送出位置６１ｂから受入位置６１ａに位置切替を行う。
【００５３】
以下、別の実施形態について説明する。上述の実施形態では、巻取りドラム６２が一時収容装置６０の通常位置から退避位置へ退避する構成について説明したが、前記巻取りドラム６２が退避しない構成であってもよい。
【００５４】
例えば、印画紙Ｐが前記巻取りドラム６２に圧着した状態、つまり図１８の状態になるまでに、印画紙端検知センサ７６によって印画紙Ｐの後端が検知されて、前記巻取りドラム６２に印画紙Ｐをそれ以上巻取る必要がなくなったときは、前記巻取りドラム６２を前記一時収容装置６０の退避位置へ退避させることなく、受入ローラ６１の位置を、図２４に示すように、受入位置６１ａから送出位置６１ｂに切替えるのである。
【００５５】
尚、本実施形態において、印画紙Ｐが一定長以上の長尺の場合には、前記巻取りドラム６２を退避位置へ退避させ、印画紙Ｐが一定長より短い短尺の場合には、前記巻取りドラム６２を退避させない、つまり退避の有無を印画紙Ｐの長さによって選択できる構成であってもよい。
【００５６】
上述の実施形態では、圧着部６３として遊転ローラを用いた構成について説明したが、前記圧着部６３はローラ状のものに限らない。例えば、図２５に示すように、前記圧着部６３を、遊転ローラに代えて、巻取りドラム６２の両端部に凹部を設けて印画紙Ｐと前記巻取りドラムを挟持する印画紙固定部６９を設けた構成であってもよい。
【００５７】
尚、上述した実施形態は、本発明の一例に過ぎず、本発明の作用効果を奏する範囲において各ブロックの具体的構成等を適宜変更設計できることはいうまでもない。
【図面の簡単な説明】
【００５８】
【図１】一時収容装置の機能ブロック構成の説明図
【図２】写真処理装置の機能ブロック構成の説明図
【図３】カム機構被覆部の斜視図
【図４】姿勢切替機構の概観説明図
【図５】圧着部とカム面の接当の説明と、姿勢切替制御機構の説明のための巻取りドラム端部の正面図
【図６】（ａ）は非圧着状態を示し、（ｂ）は圧着状態を示す姿勢切替機構の断面図
【図７】姿勢切替制御機構を説明するための姿勢切替機構とカム板の斜視図
【図８】カム溝を説明するためのカム板の上面図
【図９】カム溝を説明するためのカム板の斜視図
【図１０】姿勢切替制御機構の動作を説明するための姿勢切替機構の正面図であり、印画紙挿入開始直後の状態。
【図１１】姿勢切替制御機構の動作を説明するための姿勢切替機構の正面図であり、圧着部が圧着状態へと姿勢切替された状態。
【図１２】姿勢切替制御機構の動作を説明するための姿勢切替機構の正面図であり、印画紙巻き取り中の状態。
【図１３】姿勢切替制御機構の動作を説明するための姿勢切替機構の正面図であり、印画紙を繰出すために連結ピンが移動している状態。
【図１４】姿勢切替制御機構の動作を説明するための姿勢切替機構の正面図であり、印画紙繰出し中の状態
【図１５】姿勢切替制御機構の動作を説明するための姿勢切替機構の正面図であり、圧着部を非圧着状態へと姿勢切替するために連結ピン移動中の状態
【図１６】姿勢切替制御機構の動作を説明するための姿勢切替機構の正面図であり、圧着部が非圧着状態へと姿勢切替中の状態
【図１７】受入ローラの動作を説明するための一時収容装置の正面図
【図１８】巻取りドラムと受入ローラの動作を説明するための一時収容装置の正面図であり、印画紙が固定された状態
【図１９】巻取りドラムと受入ローラの動作を説明するための一時収容装置の正面図であり、巻取りドラムが退避位置へ移動中の状態
【図２０】巻取りドラムと受入ローラの動作を説明するための一時収容装置の正面図であり、巻取りドラムが退避位置へ到達した状態
【図２１】巻取りドラムと受入ローラの動作を説明するための一時収容装置の正面図であり、印画紙によって印画紙緩み検知センサの光経路が遮断された状態
【図２２】巻取りドラムと受入ローラの動作を説明するための一時収容装置の正面図であり、巻取りドラムが印画紙を巻き取っている状態
【図２３】巻取りドラムと受入ローラの動作を説明するための一時収容装置の正面図であり、巻取りドラムが印画紙を繰出している状態
【図２４】巻取りドラムが退避しないまま受入ローラが送出位置に位置切替する実施形態の説明図
【図２５】印画紙の固定に印画紙固定部を用いた実施形態の説明図
【符号の説明】
【００５９】
６０：一時収容装置
６１：受入ローラ
６２：巻取りドラム
６３：圧着部
６４：姿勢切替機構
６５：姿勢切替制御機構
６５１：カム溝
６７：カム機構
７１：ドラム位置切替駆動部
７５：印画紙弛み検知センサ
７６：印画紙端検知センサ
【図１】
0004506659.tif 000002
【図２】
0004506659.tif 000003
【図３】
0004506659.tif 000004
【図４】
0004506659.tif 000005
【図５】
0004506659.tif 000006
【図６】
0004506659.tif 000007
【図７】
0004506659.tif 000008
【図８】
0004506659.tif 000009
【図９】
0004506659.tif 000010
【図１０】
0004506659.tif 000011
【図１１】
0004506659.tif 000012
【図１２】
0004506659.tif 000013
【図１３】
0004506659.tif 000014
【図１４】
0004506659.tif 000015
【図１５】
0004506659.tif 000016
【図１６】
0004506659.tif 000017
【図１７】
0004506659.tif 000018
【図１８】
0004506659.tif 000019
【図１９】
0004506659.tif 000020
【図２０】
0004506659.tif 000021
【図２１】
0004506659.tif 000022
【図２２】
0004506659.tif 000023
【図２３】
0004506659.tif 000024
【図２４】
0004506659.tif 000025
【図２５】
0004506659.tif 000026